(57)【特許請求の範囲】
【請求項１】
床下の地面上に配置され、金属で形成された支持部材と、
前記支持部材に支持され、腐朽菌による木材の劣化を検知するプローブと、
を備えた床下診断具。
【請求項２】
請求項１に記載の床下診断具であって、
前記プローブは、セルロースを主成分とする材料によって形成されている、
床下診断具。
【請求項３】
請求項１又は２に記載の床下診断具であって、
前記支持部材は、
前記地面に接触する接触部と、
前記接触部の上方に配置され、前記プローブを支持する支持部とを含んでいる、
床下診断具。
【請求項４】
請求項３に記載の床下診断具であって、
前記支持部材は、
前記接触部から上方に延びる延伸部をさらに含み、
前記支持部は、前記延伸部に接続されている、
床下診断具。
【請求項５】
請求項４に記載の床下診断具であって、
前記接触部は、板状の部分であって、
前記支持部は、前記接触部に対向して配置された板状の部分であり、
前記延伸部は、前記接触部の一端部と前記支持部の一端部との間に設けられる第１延伸部と、前記接触部の他端部と前記支持部の他端部との間に設けられ、前記第１延伸部と対向する第２延伸部とを含んでいる、
床下診断具。
【請求項６】
請求項１から５のいずれか１項に記載の床下診断具であって、
前記プローブは、シート状の部材である、
床下診断具。
【請求項７】
請求項１から６のいずれか１項に記載の床下診断具であって、
前記プローブの色は、腐朽菌の色とは異なる、
床下診断具。
【請求項８】
請求項１から７のいずれか１項に記載の床下診断具であって、
前記プローブの表面の一部を覆うカバーをさらに備えた、
床下診断具。
【発明の詳細な説明】
【技術分野】
【０００１】
本発明は、床下診断具に関し、さらに詳しくは、建物の床下空間の環境を診断するための床下診断具に関する。
【背景技術】
【０００２】
木材を用いて建築された建物の床下では、腐朽菌により木材が腐朽することが問題となる。具体的には、木材が腐朽菌により腐朽することで建物の強度が著しく低下することが問題となる。このような腐朽菌による木材の腐朽に対して、様々な対策が講じられている。
【０００３】
例えば、紫外線を床下空間全体に照射することで腐朽菌を死滅させる構成が提案されている（特許文献１参照）。特許文献１では、床下空間に紫外線の照射装置が配置され、床下空間を覆う壁面に反射鏡及び反射ビーズが配置される。紫外線の照射装置から紫外線が照射される。紫外線は、反射鏡及び反射ビーズによって反射される。紫外線は、床下空間の全体に照射される。このようにして、紫外線が照射されると、床下空間の腐朽菌は死滅する。
【先行技術文献】
【特許文献】
【０００４】
【特許文献１】特開２０１０−１０６５２３号公報
【発明の概要】
【発明が解決しようとする課題】
【０００５】
特許文献１の構成等では、床下空間の腐朽菌を死滅させることができる。しかしながら、建物の床下空間に腐朽菌が存在し、木材が腐朽した後に、腐朽菌を死滅させたとしても、建物の強度低下を防止することはできない。
【０００６】
建物の強度低下を防止するためには、ユーザ（建物の所有者や管理者）は、木材が腐朽する前に、建物の床下空間は腐朽菌が育ちやすい環境か否かを判断し、対策を講じる必要がある。
【０００７】
本発明の課題は、床下空間に腐朽菌が存在し且つ腐朽菌が育ちやすい環境であるか否かを判断できる床下診断具を提供することである。
【課題を解決するための手段及び発明の効果】
【０００８】
本発明に係る床下診断具は、支持部材と、プローブとを備えている。支持部材は、床下の地面上に配置され、熱伝導率が木材よりも高い材質で形成されている。プローブは、支持部材に支持され、腐朽菌による木材の劣化を検知する。
【０００９】
本発明によれば、地面と支持部材との間で熱が伝達される。このため、床下の空気よりも地面の方が低温の場合には、支持部材は床下の空気よりも低温になる。支持部材が床下の空気よりも低温になることで、支持部材に接触する空気は冷却され、支持部材の表面に結露が生じる。支持部材の表面に結露が生じることで、プローブに水分が供給される。床下空間に腐朽菌が存在する場合には、プローブは、プローブに落下及び付着した腐朽菌を補足する。プローブは、腐朽菌を発芽及び育成する機能を有している。プローブで腐朽菌が育成され、プローブが腐朽する。
【００１０】
このため、上記の床下診断具では、床下空間に腐朽菌が存在し且つ腐朽菌が育ちやすい環境であるか否かを判断することができる。上記の床下診断具では、同様の床下空間を構成している建物部材の腐朽の可能性を評価することができる。
【図面の簡単な説明】
【００１１】
【図１】本発明の実施の形態による床下診断具の斜視図である。
【図２】床下診断具が配置された建物の床下を示す模式図である。
【図３】第２の実施形態による床下診断具の斜視図である。
【図４】第３の実施形態による床下診断具の斜視図である。
【図５】第４の実施形態による床下診断具の正面図である。
【図６】第４の実施形態による床下診断具の平面図である。
【図７】第５の実施形態による床下診断具の斜視図である。
【図８】第５の実施形態による床下診断具の図７と異なる方向から見た斜視図である。
【図９】第６の実施形態による床下診断具の斜視図である。
【図１０】他の実施形態による床下診断具の斜視図である。
【発明を実施するための形態】
【００１２】
以下、図面を参照して本発明の実施の形態を説明する。図中の同一又は相当部分には同一符号を付してその説明は繰り返さない。
【００１３】
［第１の実施の形態］
図１を参照して、本発明の第１の実施の形態に係る床下診断具１を説明する。図１は、床下診断具１の外観構成を示している。
【００１４】
床下診断具１は、建物の床下空間における、木材の腐朽の発生しやすさ及び進行しやすさを診断する。より詳細には、床下診断具１は、床下空間に腐朽菌が存在しており、且つ床下空間は腐朽菌が育ちやすい環境か否かを診断する。床下診断具１は、支持部材２と、プローブ３とを備えている。支持部材２は、地面上に設置可能である。プローブ３は、支持部材２に接触する。
【００１５】
支持部材２は、直方体状の部材である。支持部材２は、木材よりも熱伝導率が高い素材によって形成されている。より詳細には、支持部材２は、アルミや鉄などの金属により形成されている。本実施形態では、支持部材２は、直方体状の部材を採用したが、本発明はこれに限らず、板状や他の形状であってもよい。本実施形態では、木材よりも熱伝導率が高い素材として金属を採用したが、本発明はこれに限られない。支持部材２は、木材よりも熱伝導率が高ければどのような素材で形成されていてもよく、例えば石材や樹脂等の素材で形成されていてもよい。
【００１６】
プローブ３は、支持部材２の表面に配置されている。本実施形態では、プローブ３は、支持部材２の上面に配置される。本発明はこれに限らずに、支持部材２の側面に配置されていてもよい。プローブ３は、建物の床下空間に存在する腐朽菌の胞子が付着するものである。プローブ３は、付着した腐朽菌を培養するための栄養分、例えば、セルロースを主成分としている。プローブ３は、セルロースの他に、成形助剤、調色剤及び抗菌剤を含んでいてもよい。本実施形態では、プローブ３として人工的に形成された培地を用いる。しかしながら、本発明はこれに限らず、プローブ３は、腐朽菌を培養するために必要な栄養分を含むものであればよく、セルロースを主成分とする木材、紙、ガーゼや木綿等でもよい。
【００１７】
好ましくは、プローブ３は、調色剤によって腐朽菌とは異なる色に着色されている。例えば、プローブ３は、白色系及び褐色以外の茶色や黒等に着色されている。プローブ３に含まれる抗菌剤は、腐朽菌以外の菌類によってプローブ３が劣化しないようにするためのものである。プローブ３は、シート状の部材である。本実施形態では、プローブ３はシート状であるが、本発明はこれに限らず、直方体状の部材や円柱状の部材等を採用することもできる。
【００１８】
次に床下診断具１の使用方法について、図２を参照して説明する。
【００１９】
図２は、建物１０の床下空間及びその周囲の模式図である。
【００２０】
建物１０の床下空間には、基礎１１と、土台１２とが配置される。基礎１１は、コンクリート等で形成されている。基礎１１には、床下空間の通風性をよくするため換気口１３が形成されている。土台１２は、基礎１１の上方に配置され、木材で形成されている。土台１２の上方には床板１４が配置されている。これらの床下空間の構成は、一例であって、他の構成であってもよい。
【００２１】
床下診断具１を用いて床下の環境を診断する場合には、ユーザ（建物の所有者や管理者）又は作業員等（以下、ユーザ等という）が、床下診断具１を建物１０の床下空間に設置する。例えば、ユーザ等は、建物１０に設けられた床下点検口や床下収納庫等から建物１０の床下空間に進入する。そして、ユーザ等は、床下の地面に床下診断具１を設置する。本実施形態では、ユーザ等が床下空間に進入して床下診断具１を設置する例を示したが、本発明はこれに限らず、必ずしもユーザ等は床下に進入する必要はなく、例えば換気口１３から床下診断具１を床下空間に設置するようにしてもよい。
【００２２】
床下診断具１は、支持部材２が地面に接触する場所であれば、どこに設置してもよい。床下の地面は、土、砂及びコンクリート等のいずれであってもよい。
【００２３】
建物１０の床下空間に腐朽菌が存在している場合には、床下に配置された床下診断具１のプローブ３に腐朽菌が付着する。支持部材２は地面に接触しているために、支持部材２と地面との間で熱の伝達が行われる。床下空間の空気の温度よりも地面の温度の方が低い場合、例えば冬や秋の朝等には、支持部材２の温度は床下空間の空気の温度よりも低くなる。このとき、床下空間の空気の湿度が高い場合には、支持部材２の表面に結露が発生しやすい。支持部材２の表面に結露が発生することで、支持部材２に接触するプローブ３に水分が供給される。プローブ３に水分が供給されると、腐朽菌が培養されてプローブ３が腐朽する。
【００２４】
床下空間に床下診断具１を設置してから所定期間（例えば３〜６か月）経過した後、ユーザ等は床下診断具１を設置場所から回収する。床下診断具１を回収した後、ユーザ等は、プローブ３を目視で観察し、プローブ３が腐朽の有無及び腐朽している場合はその進行具合を確認する。プローブ３が腐朽していないかの判断は、ユーザ等が行ってもよいが、正確な判断を行うために専門家に判断を依頼してもよい。正確かつ客観的な判断を行うためには、腐朽を現した写真やイラスト等の見本を予め用意しておき、見本と実際のプローブ３の状態を比較するのが望ましい。このようにすれば、ユーザ等は、腐朽状態を段階的に評価することができる。
【００２５】
以上、本発明の第１の実施形態によれば、ユーザ等は、建物１０の床下空間は、木材が腐朽しやすい環境か否かを診断することができる。木材が腐朽する前に、建物の床下空間は木材が腐朽しやすい環境か否かを診断することで、ユーザ等は、建物の木材が腐朽するのを防止する対策を講じることができる。
【００２６】
支持部材２の熱伝導率が木材よりも高いため、地面と支持部材２との間を熱が伝達されやすく、床下空間の木材よりも支持部材２の表面が結露しやすい。このため、支持部材２上に配置されたプローブ３に腐朽菌が付着している場合に、腐朽菌が培養されやすい。特に支持部材２は金属により形成されているため、支持部材がコンクリートや樹脂によって形成されている場合よりもさらに地面と支持部材２との間を熱が伝達されやすく、支持部材２の表面が結露しやすい。したがって、ユーザ等は、床下空間の木材が腐朽する前に、建物１０の床下空間が、木材が腐朽しやすい環境か否かを判断することができる。このため、ユーザ等は、床下の木材の腐朽に対して早期に対策を立てることができる。
【００２７】
プローブ３は、シート状であるために、支持部材２の表面の結露によって生じた水分が全体に供給されやすい。プローブ３が腐朽菌の色とは異なる色に着色されている場合には、ユーザ等はプローブ３に付着した腐朽菌を視認しやすい。プローブ３に腐朽菌以外の菌を抑制する抗菌剤が含まれている場合には、プローブ３は腐朽菌以外の菌による影響を受けにくくなる。このため、床下に腐朽菌が存在するか否かの検出精度が高くなる。
【００２８】
［第２の実施の形態］
図３は第２の実施形態に係る床下診断具２１の外観構成を示している。床下診断具２１は、支持部材２２と、プローブ３とを備えている。床下診断具２１は、第１の実施形態による床下診断具１と支持部材の構成が異なっている。
【００２９】
支持部材２２は、接触部２２１と、延伸部２２２と、支持部２２３とを含んでいる。支持部材２２の材質は支持部材２と同様である。好ましくは、支持部材２２は、鉄やアルミなどの金属によって形成されている。
【００３０】
接触部２２１は、長方形の板状である。接触部２２１は、地面に接触する第１面２２１ａを含んでいる。本実施形態では、接触部２２１が長方形の板状であるが、本発明はこれに限らず、他の形状、例えば正方形の板状や円形の板状であってもよい。また、接触部２２１の厚さは、どのような厚さであってもよいが、薄い場合には放熱しやすく結露しやすいため、放熱性の観点からは薄いほうがよい。
【００３１】
延伸部２２２は、接触部２２１から上方に延伸している。本実施形態では、延伸部２２２は、接触部２２１の表面に略直交しているが、本発明はこれに限らず、接触部２２１から上方に延びていればよく、斜めに傾けて延びていてもよい。延伸部２２２は、接触部２２１の長手方向の略中央で接触部２２２に接続している。延伸部２２２は、板状である。本実施形態は一実施形態であって、本発明はこれに限られず、例えば延伸部２２２が柱状であってもよく、接触部２２１の端部に接続されていてもよい。
【００３２】
支持部２２３は、プローブ３を支持する。支持部２２３は、長方形の板状である。支持部２２３は、長手方向略中央において延伸部２２２に接続されている。支持部２２３は、接触部２２１と対向して配置されている。本実施形態は一実施形態であって、本発明はこれに限られず、例えば支持部２２３は、接触部２２１と形状及び大きさが異なっていてもよく、延伸部２２２の端部に接続されていてもよい。
【００３３】
なお、床下診断具２１の床下空間に設置する方法については、第１の実施の形態と同様である。
【００３４】
床下診断具２１が床下空間に設置された場合、地面の熱が接触部２２１、延伸部２２２及び支持部２２３に伝達される。支持部材２２は第１の実施形態の支持部材２に比べて表面積が大きいため、支持部材２を用いた場合よりも、さらに支持部材２２は結露しやすくなる。
【００３５】
床下の地面が土や砂等の材質で形成されている場合には、風等によって砂や埃やプローブに付着する可能性がある。支持部材２２では、延伸部２２２によって支持部２２３が地面から離れており、地面の砂や埃がプローブ３に付着しにくくなる。このため、プローブ３が腐朽菌以外によって劣化するのを防止でき、腐朽菌によるプローブ３の腐朽が検出しやすくなる。
【００３６】
支持部材２２は、板状の接触部２２１が地面に面接触する。このため、接触面積が小さい場合に比べて、設置しやすい。
【００３７】
［第３の実施の形態］
図４は、第３の実施形態に係る床下診断具３１の外観構成を示している。床下診断具３１は、支持部材３２と、プローブ３とを備えている。なお、床下診断具３１は、第１の実施形態による床下診断具１と支持部材の構成が異なっている。
【００３８】
支持部材３２は、接触部３２１と、第１延伸部３２２と、第２延伸部３２３と、支持部３２４とを含んでいる。
【００３９】
接触部３２１は、長方形の板状である。接触部３２１は、地面に接触する第１面３２１ａを含んでいる。図４は、接触部３２１が長方形の板状であるが、本発明はこれに限らず、接触部３２１は他の形状であってもよい。また、接触部３２１の厚さは、どのような厚さであってもよいが、薄い場合には放熱しやすいため、放熱性の観点からは薄いほうがよい。
【００４０】
第１延伸部３２２は、接触部３２１から上方に延伸している。第１延伸部３２２は、接触部３２１の一端部と支持部３２４の一端部との間に設けられる。第１延伸部３２２は、板状である。本実施形態は一実施形態であって、本発明はこれに限られず、例えば第２延伸部３２２が柱状であってもよい。
【００４１】
第２延伸部３２３は、第１延伸部３２２とほぼ同じ構成である。このため、第２延伸部３２３は、第１延伸部３２２と異なる箇所についてのみ説明する。第２延伸部３２３は、第１延伸部３２２と対向して配置されている。第２延伸部３２３は接触部３２１の他端部と支持部３２４の他端部との間に設けられている。
【００４２】
支持部３２４は、プローブ３を支持する。支持部３２４は、板状である。支持部３２４は、長手方向の一端で第１延伸部３２２に接続されている。支持部３２４は、長手方向の他端で第２延伸部３２３に接続されている。支持部３２４は、接触部３２１と対向して配置されている。本実施形態は一実施形態であって、本発明はこれに限られず、例えば支持部３２４は、接触部３２１と形状及び大きさが異なっていてもよい。
【００４３】
なお、床下診断具３１の床下空間に設置する方法については、第１の実施の形態と同様である。
【００４４】
床下診断具３１においては、地面の熱が接触部３２１、第１延伸部３２２、第２延伸部３２３及び支持部３２４に伝達される。このとき、第１の実施形態の支持部材２に比べて、支持部材３２の表面積が大きいため、支持部材３２の表面で結露が生じやすい。このため、プローブ３に腐朽菌が培養されやすい。
【００４５】
床下診断具３１では、第１延伸部３２２と第２延伸部３２３との間に空間が形成されている。このため、第１延伸部３２２と第２延伸部３２３との間に空間が形成されていない場合に比べて、床下診断具３１は
表面積が大きく、床下診断具３１が冷却されやすい。
【００４６】
［第４の実施の形態］
図５は、第４の実施形態に係る床下診断具４１の外観構成を示している。床下診断具４１は、支持部材４２と、プローブ４３とを備えている。
【００４７】
支持部材４２は、接触部４２１と、円柱部４２２と、ナット部４２３と、支持部４２４とを含んでいる。
【００４８】
接触部４２１は、六角形の板状である。接触部４２１は、下面４２１ａが地面に接触している。第４の実施の形態では、接触部４２１が六角形の板状であるが、本発明はこれに限らず、接触部４２１は矩形や円形の板状であってもよい。
【００４９】
円柱部４２２は、接触部４２１から上方に延伸している。延伸部４２１は、断面円形の柱状の部分である。延伸部４２１の側面にはネジ山４２２ａが形成されている。
【００５０】
ナット部４２３は接触部４２１の上方に配置されている。ナット部４２３は、断面が六角形である。ナット部４２３は、接触部４２１の上面に接触している。ナット部４２３は中心に円形の孔が形成されている。ナット部４２３の孔の側面には、延伸部４２３のネジ山４２２ａに噛み合うネジ溝４２３ａが形成されている。本実施形態では、ナット部４２３を接触部４２１の上方に配置したが、本発明はこれに限らず、支持部材４２はナット部４２３を含まない構成であってもよい。
【００５１】
支持部４２４は、プローブ４３を支持する。支持部４２４は、円板状である。支持部４２４の中心には円形の孔４２４ａが形成されている。円形の孔４２４ａの直径は、ネジ山４２２ａの直径よりも大きい。支持部４２４は、ナット部４２３の上方に配置されている。
【００５２】
図６は床下診断具４１を上方から見た上面図である。図５及び図６を参照して、プローブ４３は、断面八角形の柱状である。プローブ４３は、木材によって形成されている。プローブ４３には、高さ方向に延びる円形の孔４３ａが形成されている。プローブ４３の孔４３ａには、円柱部４２２が貫通している。円形の孔４３ａの直径はネジ山４２２ａの直径よりも大きい。本実施形態では、プローブ４３は断面八角形の柱状の部材を用いたが、本発明はこれに限らず、円柱状や三角形状等、他の形状であってもよい。本実施形態ではプローブ４３に高さ方向に延びる円形の孔４３ａを形成したが、本発明はこれに限らず、円形の孔４３ａの内周にネジ山４２２ａに噛み合うネジ溝を形成してもよい。この場合には、支持部材４２からプローブ４３がはずれにくくなる。
【００５３】
なお、床下診断具４１の床下空間に設置する方法については、第１の実施の形態と同様である。
【００５４】
床下診断具４１においては、地面の熱が接触部４２１、円柱部４２２、ナット部４２３及び支持部４２４に伝達される。支持部４２４とプローブ４３との間で生じた結露によりプローブ４３に水分が供給される。プローブ４３に供給された水分により腐朽菌が培養されやすくなる。
【００５５】
［第５の実施の形態］
図７は、第５の実施形態に係る床下診断具５１の外観構成を示している。床下診断具５１は、支持部材５２と、プローブ５３とを備えている。
【００５６】
支持部材５２は、接触部５２１と、支持部５２２とを含んでいる。
【００５７】
接触部５２１は、長方形の板状である。接触部５２１は、下面が地面に接触している。図７では、接触部５２１が長方形の板状であるが、本発明はこれに限らず、接触部５２１は矩形や円形の板状であってもよい。また、接触部５２１の厚さは、特に限定されない。接触部５２１には、長手方向に並べて、３つの円形の孔５２１ａが形成されている。
【００５８】
支持部５２２は、プローブ５３を支持する。支持部５２２は、長方形の板状である。支持部５２２は鉛直方向に延びている。支持部５２２は、接触部５２１の幅方向の端部に設けられている。支持部５２２は、接触部５２１の上方に設けられている。図８に示すように、支持部５２２には、２つの円形の孔５２２ａが形成されている。なお、図８は床下診断具５１の背面を示している。本実施形態は一実施形態であって、本発明はこれに限られず、例えば、支持部５２２が円板状や柱状であってもよく、孔５２２ａは円形でなくともよく、形成されていなくともよい。また、支持部５２２は、接触部５２１の端部に設けられていなくともよく、接触部５２１に接着剤等により接続されていてもよい。
【００５９】
プローブ５３は、長方形の板状である。プローブ５３は、木材によって形成されている。プローブ５３は、接触部５２１の上に配置されている。プローブ５３は、一方側の面が支持部５２２に支持されている。
【００６０】
床下診断具５１においては、地面の熱が接触部５２１及び支持部５２２に伝達される。支持部５２２とプローブ５３との間で生じた結露によりプローブ５３に水分が供給される。プローブ５３に供給された水分により、腐朽菌が培養されやすくなる。
【００６１】
［第６の実施の形態］
図９は、第６の実施形態に係る床下診断具６１の外観構成を示している。床下診断具６１は、支持部材６２と、プローブ６３とを備えている。
【００６２】
支持部材６２は、接触部６２１と、支持部６２２とを含んでいる。
【００６３】
接触部６２１は、板状である。接触部６２１は、下面が地面に接触している。接触部６２１は、一端に円弧状の部分６２１ａを含んでいる。接触部６２１は、矩形や円形の板状であってもよい。また、接触部６２１の厚さは、特に限定されない。接触部６２１には、２つの円形の孔６２１ｂが形成されている。本実施形態では、接触部６２１に孔６２１ｂが形成された例を示したが、本発明はこれに限られず、矩形や多角形の孔等ほかの形状でもよく、孔が形成されていなくともよい。
【００６４】
支持部６２２は、プローブ６３を支持する。支持部６２２は、接触部６２１の長手方向端部に設けられている。支持部６２２は、接触部６２１に略直交する方向に延びている。言い換えると、支持部６２２は鉛直方向に延びている。支持部６２２には、２つの円形の支持孔６２２ａが形成されている。本実施形態は一実施形態であって、本発明はこれに限られず、例えば、支持部６２２が円板状や柱状であってもよく、支持孔６２２ａは円形でなくともよい。また、支持部６２２は、接触部６２１の端部に接続されていなくともよい。
【００６５】
プローブ６３は、円形の板状である。プローブ６３は、プローブ３と同様の材質で形成されている。プローブ６３は、支持部６２２の支持孔６２２ａに嵌めこまれている。本実施形態では、プローブ６３が円形の板状の部材であるが、支持部６２２の支持孔６２２ａの形状に応じた形状であればよい。
【００６６】
第６の実施形態に係る床下診断具６１においては、地面の熱が接触部６２１及び支持部６２２に伝達される。支持部６２２とプローブ６３との間で生じた結露によりプローブ６３に水分が供給され、腐朽菌が培養されやすい環境となる。
【００６７】
以上、本発明の実施の形態を説明したが、上述した実施の形態は、本発明を実施するための例示に過ぎない。よって、本発明は上述した実施の形態に限定されることなく、その趣旨を逸脱しない範囲において適宜変形等することができる。
【００６８】
［他の実施の形態］
上記の第１実施形態から第６の実施形態に記載のプローブは、表面が露出しているが、本発明では、これに限られない。以下に説明する構成のように、プローブは、表面の一部がプラスチック等のカバーで覆われていてもよい。
【００６９】
図１０は、他の実施形態の床下診断具８１の外観構成を示している。床下診断具８１は、支持部材８２、プローブ８３、カバー８４を備えている。支持部材８２及びプローブ８３は第１の実施形態の支持部材２及びプローブ３と同様の構成であるため、説明を省略する。
【００７０】
カバー８４は、プローブ８３の表面の一部を覆っている。図１０では、カバー８４は、プローブ８３の表面のほぼ半分を覆っている。カバー８４は、例えば、シートやフィルムである。
【００７１】
このように、床下診断具８１では、プローブ８３の表面の一部をカバー８４で覆うことで、プローブ８３上で発生した結露水をプローブ８３上に溜めておくことができる。このため、床下診断具８１では、プローブ８３の表面をすべて露出させている場合に比べて、プローブ８３上で腐朽菌を育成しやすくなる。カバー８４は、樹脂などから形成されている。ここで、カバー８４は、好ましくは水分を通さない。カバー８４が水分を通さないため、水分がプローブ８３上から蒸発しにくい。また、床下診断具８１では、プローブ８３の表面の一部がカバー８４によって覆われており、一部が露出している。このため、床下診断具８１は、プローブ８３に腐朽菌が付着しやすく、且つ水分が蒸発しにくい構成となっている。図１０では、プローブ８３の表面のほぼ半分をカバー８４が覆っているが、本発明はこれに限らない。本発明では、カバー８４は、プローブ８３表面の大部分を覆ってもよく、表面の半分よりも少ない部分を覆ってもよい。
【００７２】
上記の実施形態では、第１の実施形態の構成にカバーを加えたが、本発明はこれに限らない。第２の実施形態から第６の実施形態のいずれかの実施形態のプローブの表面をカバーで覆ってもよい。
【符号の説明】
【００７３】
１、２１、３１、４１、５１、６１、８１  床下診断具
２、２２、３２、４２、５２、６２、８２  支持部材
３、４３、５３、６３、８３  プローブ
８４  カバー
２２１、３２１、４２１、５２１、６２１  接触部
２２２  延伸部
２２３、２３４、４２４、５２２、６２２  支持部
３２２  第１延伸部
３２３  第２延伸部
４２２  円柱部
【図１】
0005416803.tif 000002
【図２】
0005416803.tif 000003
【図３】
0005416803.tif 000004
【図４】
0005416803.tif 000005
【図５】
0005416803.tif 000006
【図６】
0005416803.tif 000007
【図７】
0005416803.tif 000008
【図８】
0005416803.tif 000009
【図９】
0005416803.tif 000010
【図１０】
0005416803.tif 000011